(57)【要約】【課題】走行形態に良く似た動作で身体を鍛錬可能な足踏み式健康器を提供する。【解決手段】前横ロッド１１、連結ロッド１２、後横ロッド１３を備える台座１と、二つのペダル５１とを含む。前横ロッド１１の中段には支持ロッド４が立設され、支持ロッド４は案内ホイル４１と、調整具４３とを有する。台座１の前段の両側に、第一支持枠２１と、第二支持枠２２とが順に枢着される。第二支持枠２２の中段と、台座１の後横ロッド１３とにはダンパー３が設けられている。各ペダル５１の前端の底側は第一支持枠２１の頂端に枢着され、第二支持枠の頂端はその中段の底側に枢着される。ペダル５１を漕ぐとき、下への漕ぎ力により一つのペダル５１が後横ロッド１３へ斜めに移動してストロークの最低な箇所に到達し、他のペダル５１が案内ホイル４１の案内ワイヤ４２に引かれて前横ロッド１１へ斜めに移動しストロークの最適箇所に到達する。【選択図】図１
0003122344.tif 000002
【実用新案登録請求の範囲】
【請求項１】
一つの台座と、二つのペダルとを備える足踏み式健康器において、
前記台座は、その前段の両側には、第一支持枠と、第二支持枠とがそれぞれ順に枢着され、前記第二支持枠の中段と、後端とにはダンパーがそれぞれ一つ設けられ、
前記各ペダルは、前端の底側が前記第一支持枠の頂端にぞれぞれ枢着され、前記第二支持枠の頂端がその中段の底側にぞれぞれ枢着されることを特徴とする足踏み式健康器。
【請求項２】
前記第一支持枠の底端は第一シャフトを介して前記台座に枢着され、前記第二支持枠の底端は第二シャフトを介して前記台座に枢着されることを特徴とする請求項１に記載の足踏み式健康器。
【請求項３】
前記台座の前端には支持ロッドが一つ立設してあり、前記支持ロッドは案内ホイルと、調整具とを有し、前記案内ホイルには案内ワイヤが一本設けられ、前記案内ワイヤの両端が前記第二支持枠の中段にそれぞれ固定され、前記案内ホイルが前記調整具により駆動されることを特徴とする請求項１に記載の足踏み式健康器。
【請求項４】
前記台座は、略エ字形を呈し、前横ロッドと、連結ロッドと、後横ロッドとを含み、前記連結ロッドの一端が前記前横ロッドに連結し、前記連結ロッドの他端が前記後横ロッドに連結することを特徴とする請求項１に記載の足踏み式健康器。
【請求項５】
前記ダンパーはエアーシリンダーであり、前記エアーシリンダー内には伸縮自在なピストンロッドが一つ収容され、前記エアーシリンダーの一端は前記台座の後端に枢着され、前記ピストンロッドの一端がシャフトを介して前記第二支持枠の中段に枢着されることを特徴とする請求項１に記載の足踏み式健康器。
【請求項６】
前記各ペダルの底端には一つの支持ロッドがそれぞれ設けられ、前記第一支持枠の頂端は第一シャフトを介して前記支持ロッドの前端の底側に枢着され、前記第二支持枠の頂端は第二シャフトを介して前記支持ロッドの中段の底側に枢着されることを特徴とする請求項１に記載の足踏み式健康器。
【考案の詳細な説明】
【技術分野】
【０００１】
本考案は、足踏み式健康器に関し、特に、各ペダルの支持枠を台座に枢着する構造により、ユーザーが足踏み式健康器を使用する際に、ペダルが前へ移動し、ユーザーは走行形態に良く似る動作で身体を鍛錬することが可能な足踏み式健康器に関する。
【背景技術】
【０００２】
図５は従来の足踏み式健康器を示す。この足踏み式健康器の構造は、ややエ字形を呈する台座７１を含み、前記台座７１の前端には支持ロッド７２が立設され、支持ロッド７２の頂端の左右両側には一つのペダル７３がそれぞれ枢着している。各ペダル７３は、その底側が一つの油圧シリンダー７４を介して台座７１の前端の底ロッド７１１に連結し、ユーザーの漕ぎ力を受ける。また、二つのペダル７３をサイクルに動作可能にするために、二つのペダル７３の間の支持ロッド７２にはジョイント７５が別に取付けられ、ジョイント７５は調整装置７６に操縦される。
【考案の開示】
【考案が解決しようとする課題】
【０００３】
しかしながら、図６に示すように、従来の足踏み式健康器のペダル７３は上下動しかできず、ユーザーは走行形態に良く似た動作で身体を鍛錬できないので、ユーザーが従来の足踏み式健康器を使用するときに、膝部に対する圧迫力は大きいので、運動傷害を受けることがよくあった。
【０００４】
したがって本考案の目的は、各ペダルの支持枠を台座に枢着する構造により、ユーザーが足踏み式健康器を使用する際に、ペダルが前へ移動し、ユーザーは走行形態に良く似る動作で身体を鍛錬可能で、且つ運動するときに、膝部に対する圧迫力が低減され、運動傷害を受ける可能性が大幅に降下する足踏み式健康器を提供することにある。
【課題を解決するための手段】
【０００５】
上述の目的を達成するために本考案の請求項に記載の足踏み式健康器は、台座と、二つのペダルとを含む足踏み式健康器であって、台座の前段の両側には、第一支持枠と、第二支持枠とがそれぞれ順に枢着され、更に、各第二支持枠の中段と、後端とにはダンパーがそれぞれ一つ設けられている。各ペダルの前端の底側は第一支持枠の頂端にぞれぞれ枢着され、更に、各第二支持枠の頂端はその中段の底側にぞれぞれ枢着される。
【０００６】
本考案に係る足踏み式健康器によれば、ユーザーが足踏み式健康器を使用する際に、ペダルが前へ移動し、ユーザーは走行形態に良く似た動作で身体を鍛錬可能となる。且つ運動するときに、膝部に対する圧迫力が低減され、運動傷害を受ける可能性が大幅に降下する効果がある。
【考案を実施するための最良の形態】
【０００７】
以下、本考案の実施例を図面に基づいて説明する。
図１、図２に示すように、本考案に係る実施例の構造である。本実施例の足踏み式健康器は、一つの台座１と、二つのペダル５１とを含む。
台座１は、前横ロッド１１と、連結ロッド１２と、後横ロッド１３とを含み、前記連結ロッド１２の一端が前記前横ロッド１１に連結する。なお、前記連結ロッド１２の他端が前記後横ロッド１３に連結し、本実施例では、前記台座１はややエ字形を呈する。
【０００８】
前記台座１の連結ロッド１２の前段の両側には、第一支持枠２１と、第二支持枠２２とがそれぞれ順序に枢着され、前記各第一支持枠２１の底端が第一シャフト２３を介して前記台座１に枢着される。なお、前記各第二支持枠２２の底端が第二シャフト２４を介して前記台座１に枢着される。更に、前記各第二支持枠２１の中段と、前記台座１の後横ロッド１３とにはダンパー３がそれぞれ一つ設けられている。本実施例では、各ダンパー３はエアーシリンダー３１であり、前記各エアーシリンダー３１内には伸縮自在なピストンロッド３２が一つ収容され、前記各エアーシリンダー３１の一端が前記台座１の後横ロッド１３に枢着される。前記各ピストンロッド３２の一端がシャフト３３を介して前記各第二支持枠２２の中段に枢着される。
【０００９】
更に、前記台座１の前横ロッド１１の中段には支持ロッド４が立設され、前記支持ロッド４は案内ホイル４１と、調整具４３とを有し、前記案内ホイル４１には案内ワイヤ４２が一本設けられ、前記案内ワイヤ４２の両端が前記各第二支持枠２２の中段にそれぞれ固定され、前記案内ホイル４１が前記調整具４３に操縦される。
【００１０】
二つのペダル５１は、その前端の底側には支持ロッド５２がそれぞれ設けられ、各第一支持枠２１の頂端は第一シャフト５３を介して各支持ロッド５２の前端の底側に枢着される。更に各第二支持枠２２頂端が第二シャフト５４を介して各支持ロッド５２の中段の底側に枢着される。
【００１１】
図３と図４に示すように、ユーザーは足６でペダル５１を漕ぐときには、下への漕ぎ力により二つのペダル５１のうちの一つのペダル５１が後横ロッド１３へ斜めに移動してストロークの最低な箇所に到達し、他のペダル５１が案内ホイル４１の案内ワイヤ４２に引かれて前横ロッド１１へ斜めに移動してストロークの最高な箇所に到達する。前記二つのペダル５１の連続動作により、ペダル５１が前へ移動し、ユーザーは走行形態に良く似る動作で身体を鍛錬可能となり、且つ運動するときに、膝部に対する圧迫力が低減され、運動傷害を受ける可能性が大幅に降下し、運動量が向上する。また、前記調整具４３を回転し案内ホイル４１の位置を調整することにより、二つのペダル５１の漕ぎ抵抗を変更することが可能である。よって、運動量を変更することが可能となり、且つ案内ホイル４１の案内ワイヤ４２の引き作用により、二つのペダル５１はサイクルに動作可能になる。
【００１２】
このように、本考案の、特定の実施例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１３】
【図１】本考案の実施例による足踏み式健康器を示す分解斜視図である。
【図２】本考案の実施例による足踏み式健康器を示す平面図である。
【図３】本考案の実施例による足踏み式健康器の使用状態を示す概略図１である。
【図４】本考案の実施例による足踏み式健康器の使用状態を示す概略図２である。
【図５】従来の足踏み式健康器を示す斜視図である。
【図６】従来の足踏み式健康器の使用状態を示す概略図である。
【符号の説明】
【００１４】
１  台座、３  ダンパー、４  支持ロッド、６  足部、１１  前横ロッド、１２  連結ロッド、１３  後横ロッド、２１  第一支持枠、２２  第二支持枠、２３  第一シャフト、２４  第二シャフト、３１  エアーシリンダー、３２  ピストンロッド、３３  シャフト、４１  案内ホイル、４２  案内ワイヤ、３  調整具、５１  ペダル、５２  支持ロッド、５３  第一ロッド、５４  第二ロッド、７１  台座、７２  支持ロッド、７３  ペダル、７４  油圧シリンダー、７５  ジョイント、７６  調整装置、７７  足部、７１１  底ロッド
【図１】
0003122344.tif 000003
【図２】
0003122344.tif 000004
【図３】
0003122344.tif 000005
【図４】
0003122344.tif 000006
【図５】
0003122344.tif 000007
【図６】
0003122344.tif 000008